(57)【要約】      （修正有）【課題】家庭用観賞用の水槽に、最終生成物として塩類が蓄積し、水質が悪化することを防ぐ水槽水循環脱塩濾過装置を提供する。【解決手段】家庭用観賞用水槽において、水槽水の循環濾過装置の濾過槽に照明光源１と反射板を設け、遮光性壁部で覆って、濾過槽内に光合成生物を育成できるようにし、光合成生物に塩類を吸収させて、水槽水の水質を浄化する。【選択図】図１
2019180347.tif 000002
【特許請求の範囲】
【請求項１】
家庭用観賞用の水槽の、水槽水の循環濾過装置において、
濾過槽の少なくとも一部に、光合成浄化槽を設けた、循環脱塩濾過装置であって、
前記光合成浄化槽は、
周囲を区画する区画壁と、循環する水槽水の流入口および排出口と、開閉可能な上部蓋体とを備え、
前記光合成浄化槽の内部に向けて光を照射する照明光源を、前記循環濾過装置の外郭の内側に備え、
前記光合成浄化槽の内壁面の少なくとも一部に、前記照明光源の光を、前記光合成浄化槽内に向けて反射する、前記循環濾過装置から着脱可能な内壁反射板を備えた、前記濾過槽であって、
前記循環濾過装置の所定の壁部が遮光性を有する遮光性壁部からなり、
前記遮光性壁部が前記照明光源を取り囲む位置に配され、前記照明光源の光の、前記循環濾過装置外部への放射を防ぐことを特徴とする、家庭用観賞用水槽の水槽水循環脱塩濾過装置。
【請求項２】
前記内壁反射板の少なくとも一部に、循環する水槽水の前記流入口および前記排出口として、ルーバー構造が設けられており、
前記ルーバー構造は目隠しルーバーであって、
前記ルーバー構造の各羽板は、隣り合う前記羽板間の間隙が、面方向に略ゼロであるか、または面方向に重なり代を有するように設けられていることを特徴とする、請求項１に記載の家庭用観賞用水槽の水槽水循環脱塩濾過装置。
【請求項３】
前記照明光源が、前記上部蓋体の内部に設けられており、
前記上部蓋体は、設置時上方に上部反射板を備え、設置時下方に防水透明板を備え、
前記上部反射板は、設置時下側に反射面を有する反射板であって
前記防水透明板は、防水性を有する透明の板部材であって、
前記照明光源は、前記上部反射板と前記防水透明板の両面の挟間に設けられていることを特徴とする、請求項１または２に記載の家庭用観賞用水槽の水槽水循環脱塩濾過装置。
【請求項４】
前記照明光源の光量調節手段を設けたことを特徴とする、請求項１から３のいずれかに記載の家庭用観賞用水槽の水槽水循環脱塩濾過装置。
【請求項５】
前記内壁反射板が、上面が開放した容器体の内壁面に設けられており、
前記容器体の壁部が前記光合成浄化槽の区画壁を形成し、
前記容器体が前記循環濾過装置から着脱可能な構造であることを特徴とする、請求項１から４のいずれかに記載の家庭用観賞用水槽の水槽水循環脱塩濾過装置。
【請求項６】
前記容器体が、底面板と側面板を有し、
前記側面板の少なくとも一部は、前記底面板の辺縁部にヒンジ部を介して起立自在に連結され、使用時には前記側面板が前記底面板との同一平面から起立して前記容器体をなす構造であって、
前記容器体には、前記側面板の起立角度制限手段として、当接部または係止部が設けられており、
前記当接部および前記係止部は、前記側面板が前記容器体を形成する角度に起立した際に当接または係止し、前記側面板が当該角度を超えて変位することを制限することを特徴とする、請求項５に記載の家庭用観賞用水槽の水槽水循環脱塩濾過装置。
【請求項７】
家庭用観賞用水槽の水槽水循環濾過装置に設置することで、当該循環濾過装置とあわせて、請求項１に記載の家庭用観賞用水槽の水槽水の循環脱塩濾過装置を形成する、前記上部蓋体と前記内壁反射板からなるユニットであって、
前記上部蓋体は、前記照明光源が、前記上部蓋体の内部に設けられており、
前記上部蓋体は、設置時上方に上部反射板を備え、設置時下方に防水透明板を備え、
前記上部反射板は、設置時下側に反射面を有する反射板であって
前記防水透明板は、防水性を有する透明の板部材であって、
前記照明光源は、前記上部反射板と前記防水透明板の両面の挟間に設けられており、
前記内壁反射板は、上面が開放した容器体の内壁面に設けられており、
前記容器体の壁部は、前記光合成浄化槽の区画壁を形成し、
前記容器体が、前記循環濾過装置から着脱可能な構造であって、
前記容器体が、底面板と側面板を有し、
前記側面板の少なくとも一部は、前記底面板の辺縁部にヒンジ部を介して起立自在に連結され、使用時には前記側面板が前記底面板との同一平面から起立して前記容器体をなす構造であって、
前記容器体には、前記側面板の起立角度制限手段として、当接部または係止部が設けられており、
前記当接部および前記係止部は、前記側面板が前記容器体を形成する角度に起立した際に当接または係止し、前記側面板が当該角度を超えて変位することを制限する構造であって、
前記側面板と前記底面板の少なくとも一部には、循環する水槽水の前記流入口および前記排出口として、ルーバー構造が設けられており、
前記ルーバー構造は目隠しルーバーであって、
前記ルーバー構造の各羽板は、隣り合う前記羽板間の間隙が、面方向に略ゼロであるか、または面方向に重なり代を有するように設けられていることを特徴とする、上部蓋体と内壁反射板からなるユニット。
【発明の詳細な説明】
【技術分野】
【０００１】
本発明は、濾過槽内を照らす光量調節可能な照明光源と、目隠しルーバーを有する着脱可能な反射板を設けることで、濾過槽内での光合成生物の光合成を促進・調節し、水槽水を浄化することができる、家庭用観賞用水槽に設置して使用する水槽水循環脱塩濾過装置に関する。
【背景技術】
【０００２】
現在、家庭用観賞用水槽の水質維持を目的に使用される機器のなかで、最も普及しているのは、水槽水の循環濾過装置である。  これらの濾過装置では、濾過槽で水槽水の中の不要物を濾し取る物理的濾過の他に、水槽内や濾過槽内の微生物の働きを利用した生物的濾過が行われている。（特許文献１）  腐敗のもととなる有機物や、有毒なアンモニア・亜硝酸塩を、様々な微生物が、毒性の低いリン酸塩や硝酸塩等に分解している。
【０００３】
自然界においては、そうして生成された塩類は、光合成生物に養分として吸収されることで物質循環しており、水槽内に水草等の光合成生物を育成していれば、自然界に近い物質循環が行われるため、水質は長い期間維持される。  しかし水草等の光合成生物を育成していない家庭用観賞用水槽の閉鎖系では、これらの塩類は、最終生成物として水槽内に蓄積する一方である。  そして塩類の蓄積は、硬度の上昇や、ｐＨ値の低下を招き、水槽水を生物の飼育に適さない水質へと悪化させてしまう。
【先行技術文献】
【特許文献】
【０００４】
【特許文献１】特開２００５−５４号公報
【０００５】
【特許文献２】特開２０１２−２１７３４０号公報
【０００６】
【特許文献３】実開昭５９−１６３７３号公報
【発明の概要】
【発明が解決しようとする課題】
【０００７】
従来、家庭用観賞用の水槽で、こうした塩類の蓄積を防ぐ方策の一つとして、換水によって塩類を水槽外へ排出する方法がとられていたが、換水を怠れば水質は悪化するため、頻繁に換水をしなければならないという手間があった。
【０００８】
もう一つの方策として、水槽内で水草を育成するという方法があったが、水草を育てるためには、専用の設備や管理・手間が必要になるうえに、水草の光合成反応の速度や吸収する塩類の量は環境任せであり、飼育者が制御することは難しい。  しかも、草食の動物は飼うことができないなどの制限が生じてしまう。  動物専用水槽と植物専用水槽を区画分けして設け、この２つの水槽の水槽水を循環させる構成（特許文献２、３）では、大掛かりな設備を要し、照明光の利用効率も悪く、広い設置場所や初期コスト・維持コストの大きな負担を強いられるうえ、藻類の付着等に対するメンテナンスが難しかった。  また、そのような構成では、動物水槽と植物水槽の明かりは共通となるため、植物の光合成反応速度は、動物水槽の照明点灯時間に依存せざるを得なかった。  本発明はこれらの課題を解消するためになされたものである。
【課題を解決するための手段】
【０００９】
家庭用観賞用の水槽の、水槽水の循環濾過装置において、
濾過槽の少なくとも一部に、光合成浄化槽を設けた、循環脱塩濾過装置であって、
光合成浄化槽は、
周囲を区画する区画壁と、循環する水槽水の流入口および排出口と、開閉可能な上部蓋体とを備え、
光合成浄化槽の内部に向けて光を照射する照明光源を、循環濾過装置の外郭の内側に備え、
光合成浄化槽の内壁面の少なくとも一部に、照明光源の光を、光合成浄化槽内に向けて反射する、循環濾過装置から着脱可能な内壁反射板を備えた、濾過槽であって、
循環濾過装置の所定の壁部が遮光性を有する遮光性壁部からなり、
遮光性壁部が照明光源を取り囲む位置に配され、照明光源の光の、循環濾過装置外部への放射を防ぐ、家庭用観賞用水槽の水槽水循環脱塩濾過装置を作成する。
【００１０】
内壁反射板の少なくとも一部に、循環する水槽水の流入口および排出口として、ル
ーバー構造が設けられており、
ルーバー構造は目隠しルーバーであって、
ルーバー構造の各羽板は、隣り合う羽板間の間隙が、面方向に略ゼロであるか、または面方向に重なり代を有するように設けられている、家庭用観賞用水槽の水槽水循環脱塩濾過装置を作成する。
【００１１】
照明光源が、上部蓋体の内部に設けられており、
上部蓋体は、設置時上方に上部反射板を備え、設置時下方に防水透明板を備え、
上部反射板は、設置時下側に反射面を有する反射板であって
防水透明板は、防水性を有する透明の板部材であって、
照明光源は、上部反射板と防水透明板の両面の挟間に設けられている、家庭用観賞用水槽の水槽水循環脱塩濾過装置を作成する。
【００１２】
照明光源の光量調節手段を設けた、家庭用観賞用水槽の水槽水循環脱塩濾過装置を
作成する。
【００１３】
内壁反射板が、上面が開放した容器体の内壁面に設けられており、
容器体の壁部が光合成浄化槽の区画壁を形成し、
容器体が循環濾過装置から着脱可能な構造である、家庭用観賞用水槽の水槽水循環脱塩濾過装置を作成する。
【００１４】
容器体が底面板と側面板を有し、
側面板の少なくとも一部が底面板の辺縁部にヒンジ部を介して起立自在に連結され、使用時には側面板が底面板との同一平面から起立して容器体をなす構造であって、
容器体には、側面板の起立角度制限手段として、当接部または係止部が設けられてお
り、
当接部および係止部は、側面板が容器体を形成する角度に起立した際に当接または係止し、側面板が当該角度を超えて変位することを制限する、家庭用観賞用水槽の水槽水循環脱塩濾過装置を作成する。
【００１５】
家庭用観賞用水槽の水槽水循環濾過装置に設置することで、当該循環濾過装置とあ
わせて、家庭用観賞用水槽の水槽水の循環脱塩濾過装置を形成する、上部蓋体と内壁
反射板からなるユニットであって、
上部蓋体は、照明光源が、上部蓋体の内部に設けられており、
上部蓋体は、設置時上方に上部反射板を備え、設置時下方に防水透明板を備え、
上部反射板は、設置時下側に反射面を有する反射板であって
防水透明板は、防水性を有する透明の板部材であって、
照明光源は、上部反射板と防水透明板の両面の挟間に設けられており、
内壁反射板は、上面が開放した容器体の内壁面に設けられており、
容器体の壁部は、光合成浄化槽の区画壁を形成し、
容器体が、循環濾過装置から着脱可能な構造であって
容器体が、底面板と側面板を有し、
側面板の少なくとも一部は、底面板の辺縁部にヒンジ部を介して起立自在に連結され、使用時には側面板が底面板との同一平面から起立して容器体をなす構造であって、
容器体には、側面板の起立角度制限手段として、当接部または係止部が設けられてお
り、
当接部および係止部は、側面板が容器体を形成する角度に起立した際に当接または係止し、側面板が当該角度を超えて変位することを制限する構造であって、
側面板と底面板の少なくとも一部には、循環する水槽水の流入口および排出口として、ルーバー構造が設けられており、
ルーバー構造は目隠しルーバーであって、
ルーバー構造の各羽板は、隣り合う羽板間の間隙が、面方向に略ゼロであるか、または面方向に重なり代を有するように設けられている、上部蓋体と内壁反射板からなるユニットを作成する。
【発明の効果】
【００１６】
家庭用観賞用水槽に設置する水槽水循環濾過装置に、濾過槽内を照らす専用の照明光源を設け、この濾過槽の上部蓋を開けて光合成生物を適時適量投入・排出し使用することで、濾過槽内の光合成生物の光合成反応を促進・調節可能となるため、必要に応じて水槽水に蓄積する塩類を濾過槽内の光合成生物に吸収させ、水槽水を浄化することができる。  これにより、水槽内の物質循環のサイクルが完成し、理論上水槽水は換水の必要が無くなるため、換水の頻度を大幅に減らすことができ、換水の手間が省ける。  照明光源が光合成生物の極めて近距離にあり、また光を無駄なく利用できる反射板を有するため、照明光の利用効率が良い。  反射板が着脱可能であるため、発生しやすい藻類の除去等のメンテナンスが容易である。  照明光源が装置外郭の内側にあり、遮光性壁部に囲まれているため、照明光源の光が循環濾過装置の外部にもれず、水槽用照明と濾過槽用照明が完全に独立している。  これにより観賞用水槽の照明点灯時間に関係なく濾過槽用照明を点灯させて、光合成生物の光合成を促進でき、観賞用水槽で飼育する生物に、光による影響を与えない。  観賞用水槽内に、塩類除去を目的とした水草等の光合成生物を育成する必要がないため、水草の管理に必要な設備コストや管理コスト・手間が必要なく、水草とともに飼うのに適さない種の動物も制限なく飼うことができる。
【００１７】
反射板に目隠しルーバー状の水槽水流入口と排出口を設ければ、水槽水の循環に必要な流入口と排出口の開口面積を確保しつつ、反射面の面積を確保でき、照明光源の光を効率的に利用できる。
【００１８】
上部蓋体の内部に照明光源を設ければ、濾過槽内に投入する水草等の光合成生物に対して、設置し得る最も近接する位置のひとつから光を照射することができる。  これは、支払う照明コストに対して最も効率よく光合成反応を得ることができる構成と言え、他のあらゆる構成に比して有利であり、照明に掛かる照明球代や電気代等の初期コスト・維持コストが最小限で済む。  本発明の構成が、濾過槽内の光合成対象まで３センチメートルの距離から光を照射することができ、一般的な家庭用観賞用水槽の照明器具（特許文献２、３含む）が、水槽内の光合成対象まで１５センチメートルの距離から光を照射すると仮定すると、光の減衰法則によれば、本発明が、一般的照明器具と同じ光合成反応を促すための光量を得るのに必要な照明コストは２５分の１と試算され、圧倒的な差が示される。  そして盛んな光合成反応は、光合成生物の育成、塩類の吸収量増大により、水槽水の浄化に繋がる。
【００１９】
照明光源に光量の調節手段を設ければ、光合成反応量の調節が容易になり、水質管理が容易となる。
【００２０】
観賞用水槽の循環濾過装置に、容器型の反射板を着脱可能にした構成では、投入する光合成生物の取り換えや、藻類の除去等、使用およびメンテナンスが容易となる。
【００２１】
容器体の側面板が、底面板の辺縁部にヒンジ部を介して起立自在に連結され、側面
板の起立角度制限手段として当接部または係止部が設けられた構成では、藻類の除去
等、使用およびメンテナンスが容易となる。
【００２２】
家庭用観賞用水槽の水槽水の循環脱塩濾過装置を形成する、上部蓋体と内壁反射板
からなるユニットがあれば、これを市販の家庭用観賞用水槽の水槽水循環濾過装置に
設置して、平易かつ低コストで脱塩濾過が可能となる。
【図面の簡単な説明】
【００２３】
【図１】上部設置型の本発明の斜視図である。
【図２】外掛け型の本発明の斜視図である。
【図３】本発明の筐体の斜視図である。
【図４】上部設置型循環濾過装置に使用する本発明上部蓋体の斜視図である。
【図５】外掛け型循環濾過装置に使用する本発明上部蓋体の斜視図である。
【図６】水槽に設置した状態の、上部設置型の本発明の斜視図である。
【図７】水槽に設置した状態の、外掛け型の本発明の斜視図である。
【図８】目隠しルーバーを設けた本発明内壁反射板の正面図である。
【図９】隣り合う羽板間の間隙が、面方向に略ゼロである、目隠しルーバーの側面断面の説明図である。
【図１０】隣り合う羽板が、面方向に重なり代を有する、目隠しルーバーの側面断面の説明図である。
【図１１】内部に照明光源を設けた本発明上部蓋体の斜視図である。
【図１２】内部に照明光源を設けた本発明上部蓋体の側面図である。
【図１３】目隠しルーバーと内壁反射板を設けた、上面が開放した容器体の斜視図である。
【図１４】側面板が底面板にヒンジ部を介して連結された容器体の斜視図である。
【図１５】当接部の説明図である。
【図１６】係止部の説明図である。
【発明を実施するための形態】
【００２４】
既製の家庭用観賞用水槽１１の上部に設置できるように、長手方向４５センチメートルや６０センチメートル、幅１０センチメートル程度の長方形を底面とする、高さ１０センチメートル程度の直方体の、上面が解放された箱状筐体を、硬質プラスチックで作成する。  箱状筐体は、電気装置等の設置部を除いて、そのほとんどがそのまま濾過槽の区画壁部をなすようにする。  ルーバーを設けた硬質プラスチック製の仕切り壁部材５を用いて濾過槽内部を複数の濾過槽に仕切り、濾過槽内に投入する水質浄化用の部材３・４を、仕切られた濾過槽ごとに複数種使用できるようにしてもよい。
【００２５】
箱状筐体の両端に、水槽水吸入パイプ１５と水槽水排出戻し口１６を設け、家庭用１００ボルト電源の電気モーターを動力とするポンプ１７により水槽内の水を吸い上げて、水槽水を、水槽・吸入パイプ・濾過槽・排出戻し口・水槽の順に循環させる。  濾過槽の開放された上面を閉蓋する上部蓋体８を硬質プラスチックで作成し、ヒンジ部１８を設けて箱状筐体の壁部と繋ぐ。  上部蓋体８にＬＥＤ照明球１と光量調節および電源スイッチ１９を設け、１００ボルト電源を引く電気配線を、ヒンジ部を通して設ける。  ＬＥＤ照明球の設置位置は上部蓋体８の内部の他、濾過槽壁部・濾過槽仕切り壁部５・濾過槽底面２１など濾過槽の他の区画壁でもよい。  区画壁とは、他の濾過槽を含む外部と、当該濾過槽を、区画する境界面の壁部材を指す。
【００２６】
濾過槽内を複数の濾過槽に仕切った構成では、上部蓋体の、光合成浄化槽６の略真上位置に、ＬＥＤ照明球１を設置するなど、光合成浄化槽に近接する位置に照明光源を設ける。  照明光源はＬＥＤの他、蛍光灯や白熱電球等でもよく、照明球のサイズや数は、光合成に必要な照度に即して設ける。  植物の光合成に効果的な４００〜５００ナノメートルや６００〜７００ナノメートルの波長の光を多く出す光源を用いれば、より光合成促進効果が高まる。  照明光源の水濡れを防ぐため、透明硬質プラスチック製カバーで照明光源下面を覆ったり、光透過性の高い素材で作成した濾過槽壁部２０・２１や上部蓋体８の外側に照明光源を設置して、そのさらに外側を遮光性を有する硬質プラスチック板体で覆うなどの構成でもよい。  内側を反射面とする反射板で覆ってもよく、反射板は遮光性を有するため、遮光性壁部としても機能する。
【００２７】
観賞魚等を飼育している家庭用観賞用水槽１１の上部に本発明を設置し、ポンプを作動させて、水槽水を本発明濾過槽に循環させて使用する。  光合成浄化槽６内にアナカリス３・モス・ホテイ草等の、丈夫で光合成能力の高い植物を投入し、別の濾過槽にはポリエステルウール４や活性炭等の濾材を投入して通常の濾過槽１３とする。  通常の濾過槽や水槽内に生息する硝化細菌等が、残餌や排泄物等の有機物やアンモニアを塩類に分解し、光合成浄化槽内の光合成生物が塩類を吸収して、水槽水は浄化される。  利用できる光合成生物は、水草の他、湿生植物・抽水植物・浮遊植物・コケ類・藻類・光合成細菌等あり、その形態によっては株ごとにポット植えした状態で投入したり、ポリエステルウール４等を菌床に用いてそこに定着させてもよい。  これらの光合成生物は、それ自体を生育目的種のひとつとしてもよいが、塩類を吸収させて廃棄する濾材とみなした使用も可能となる。
【００２８】
循環濾過装置は、水槽上部設置型９の他に、水槽壁面に引っ掛け固定する外掛け型１０や、水槽脇に設置するタンク型でもよく、水槽とは独立した濾過槽２と、濾過槽２に水槽水を循環させる動力を備えたポンプ１７と、水槽水取り込み口１５と水槽水排出戻し口１６、これらを繋ぐパイプ等の循環経路を備えた構成であればよい。
【００２９】
本発明筐体の壁部２０・２１を光透過性の無い部材を用いて作成し、遮光性壁部２６とする。  また遮光性壁部２６は、光透過性の無い素材で作成した板部材を必要箇所に貼着することで設けたり、筐体の必要箇所を光透過性の無い塗料で塗装して遮光性壁部とする構成でもよい。  遮光性壁部２６の配置箇所は、本発明を設置使用する際に、本発明照明光源１の光線が、循環濾過装置の外部に放射されることを阻む位置であり、循環濾過装置の筐体の最外郭部でもよいし、筐体内部に光合成浄化槽を取り囲むように設けてもよい。
【００３０】
家庭用観賞用水槽に用いられる、上部設置型・外掛け型・タンク型等の、既製の循環濾過装置の濾過槽の蓋に用いることのできる大きさの上部蓋体を硬質プラスチックで作成し、電池２２・２３を電源とするＬＥＤ照明球１と電池ボックス２４・配線・光量調節および電源スイッチ１９を設ける。  ＬＥＤ照明球は上部に反射板、下部に透明板を有する両面の間の空間に設けられ、市販の上部設置型・外掛け型・タンク型循環濾過装置９・１０に付属する既製の蓋８の代わりに、本発明上部蓋体で濾過槽を閉蓋して使用する。  そして、容器型の反射板を、濾過槽の、上部蓋体に設けられた照明光源直下位置に投入設置することで、当該容器内部を光合成浄化槽として使用できる。  電源は電池の他、ソーラー発電パネルや、１００ボルト電源を家庭用コンセントから引く構成でもよい。
【符号の説明】
【００３１】
１    照明光源
２    濾過槽
３    水草
４    ポリエステルウール
５    濾過槽仕切り壁部
６    光合成浄化槽
７    循環濾過装置の最外郭
８    上部蓋体
９    上部設置型循環濾過装置
１０  外掛け型循環濾過装置
１１  家庭用観賞用水槽
１２  水槽側壁部
１３  通常の濾過槽
１４  内部に照明光源を設けた上部蓋体
１５  水槽水吸入パイプ
１６  水槽水排出戻し口
１７  電動ポンプ
１８  ヒンジ部
１９  光量調節および電源スイッチ
２０  濾過槽側面
２１  濾過槽底面
２２  ボタン電池
２３  電池
２４  電池ボックス
２５  内壁反射板
２６  遮光性壁部
２７  水槽水の流入口
２８  水槽水の排出口
２９  ルーバー羽板
３０  目隠しルーバー
３１  面方向
３２  上部反射板
３３  防水透明板
３４  底面板
３５  側面板
３６  当接部
３７  係止部
【図１】
2019180347.tif 000003
【図２】
2019180347.tif 000004
【図３】
2019180347.tif 000005
【図４】
2019180347.tif 000006
【図５】
2019180347.tif 000007
【図６】
2019180347.tif 000008
【図７】
2019180347.tif 000009
【図８】
2019180347.tif 000010
【図９】
2019180347.tif 000011
【図１０】
2019180347.tif 000012
【図１１】
2019180347.tif 000013
【図１２】
2019180347.tif 000014
【図１３】
2019180347.tif 000015
【図１４】
2019180347.tif 000016
【図１５】
2019180347.tif 000017
【図１６】
2019180347.tif 000018
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
家庭用観賞用の水槽の、水槽水の循環濾過装置において、
濾過槽の少なくとも一部に、光合成浄化槽を設けた、循環脱塩濾過装置であって、
前記光合成浄化槽は、
周囲を区画する区画壁と、循環する水槽水の流入口および排出口と、開閉可能な上部蓋体とを備え、
前記光合成浄化槽の内部に向けて光を照射する照明光源を、前記循環濾過装置の外郭の内側に備え、
前記光合成浄化槽の内壁面の少なくとも一部に、前記照明光源の光を、前記光合成浄化槽内に向けて反射する、前記循環濾過装置から着脱可能な内壁反射板を備え、
前記内壁反射板の少なくとも一部に、循環する水槽水の前記流入口および前記排出口
として、ルーバー構造が設けられており、
前記ルーバー構造は目隠しルーバーであって、
前記ルーバー構造の各羽板は、隣り合う前記羽板間の間隙が、面方向に略ゼロであるか、または面方向に重なり代を有するように設けられており、
前記循環濾過装置の所定の壁部が遮光性を有する遮光性壁部からなり、
前記遮光性壁部が前記照明光源を取り囲む位置に配され、前記照明光源の光の、前記循環濾過装置外部への放射を防ぐことを特徴とする、家庭用観賞用水槽の水槽水循環脱塩濾過装置。
【請求項２】
前記照明光源の光量調節手段を設けたことを特徴とする、請求項１に記載の家庭用
観賞用水槽の水槽水循環脱塩濾過装置。
【請求項３】
前記内壁反射板が、上面が開放した容器体の内壁面に設けられており、
前記容器体の壁部が前記光合成浄化槽の区画壁を形成し、
前記容器体が前記循環濾過装置から着脱可能な構造であることを特徴とする、請求項１または２のいずれかに記載の家庭用観賞用水槽の水槽水循環脱塩濾過装置。
【請求項４】
前記容器体が、底面板と側面板を有し、
前記側面板の少なくとも一部は、前記底面板の辺縁部にヒンジ部を介して起立自在に連結され、使用時には前記側面板が前記底面板との同一平面から起立して前記容器体をなす構造であって、
前記容器体には、前記側面板の起立角度制限手段として、当接部または係止部が設け
られており、
前記当接部および前記係止部は、前記側面板が前記容器体を形成する角度に起立した際に当接または係止し、前記側面板が当該角度を超えて変位することを制限することを特徴とする、請求項３に記載の家庭用観賞用水槽の水槽水循環脱塩濾過装置。
【請求項５】
家庭用観賞用水槽の水槽水循環濾過装置に設置することで、当該循環濾過装置とあ
わせて、請求項１に記載の家庭用観賞用水槽の水槽水の循環脱塩濾過装置を形成する、
前記上部蓋体と前記内壁反射板からなるユニットであって、
前記上部蓋体は、前記照明光源が、前記上部蓋体の内部に設けられており、
前記上部蓋体は、設置時上方に上部反射板を備え、設置時下方に防水透明板を備え、
前記上部反射板は、設置時下側に反射面を有する反射板であって
前記防水透明板は、防水性を有する透明の板部材であって、
前記照明光源は、前記上部反射板と前記防水透明板の両面の挟間に設けられており、
前記内壁反射板は、上面が開放した容器体の内壁面に設けられており、
前記容器体の壁部は、前記光合成浄化槽の区画壁を形成し、
前記容器体が、前記循環濾過装置から着脱可能な構造であって、
前記容器体が、底面板と側面板を有し、
前記側面板の少なくとも一部は、前記底面板の辺縁部にヒンジ部を介して起立自在に連結され、使用時には前記側面板が前記底面板との同一平面から起立して前記容器体をなす構造であって、
前記容器体には、前記側面板の起立角度制限手段として、当接部または係止部が設け
られており、
前記当接部および前記係止部は、前記側面板が前記容器体を形成する角度に起立した際に当接または係止し、前記側面板が当該角度を超えて変位することを制限する構造であって、
前記側面板と前記底面板の少なくとも一部には、循環する水槽水の前記流入口および前記排出口として、ルーバー構造が設けられており、
前記ルーバー構造は目隠しルーバーであって、
前記ルーバー構造の各羽板は、隣り合う前記羽板間の間隙が、面方向に略ゼロであるか、または面方向に重なり代を有するように設けられていることを特徴とする、上部蓋体と内壁反射板からなるユニット。
【手続補正２】
【補正対象書類名】明細書
【補正対象項目名】０００９
【補正方法】変更
【補正の内容】
【０００９】
家庭用観賞用の水槽の、水槽水の循環濾過装置において、
濾過槽の少なくとも一部に、光合成浄化槽を設けた、循環脱塩濾過装置であって、
光合成浄化槽は、
周囲を区画する区画壁と、循環する水槽水の流入口および排出口と、開閉可能な上部蓋体とを備え、
光合成浄化槽の内部に向けて光を照射する照明光源を、循環濾過装置の外郭の内側に備え、
光合成浄化槽の内壁面の少なくとも一部に、照明光源の光を、光合成浄化槽内に向けて反射する、循環濾過装置から着脱可能な内壁反射板を備え、
内壁反射板の少なくとも一部に、循環する水槽水の流入口および前記排出口として、
ルーバー構造が設けられており、
ルーバー構造は目隠しルーバーであって、
ルーバー構造の各羽板は、隣り合う羽板間の間隙が、面方向に略ゼロであるか、または面方向に重なり代を有するように設けられており、
循環濾過装置の所定の壁部が遮光性を有する遮光性壁部からなり、
遮光性壁部が照明光源を取り囲む位置に配され、照明光源の光の、循環濾過装置外部への放射を防ぐ、家庭用観賞用水槽の水槽水循環脱塩濾過装置を作成する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１６
【補正方法】変更
【補正の内容】
【００１６】
家庭用観賞用水槽に設置する水槽水循環濾過装置に、濾過槽内を照らす専用の照明光源を設け、この濾過槽の上部蓋を開けて光合成生物を適時適量投入・排出し使用することで、濾過槽内の光合成生物の光合成反応を促進・調節可能となるため、必要に応じて水槽水に蓄積する塩類を濾過槽内の光合成生物に吸収させ、水槽水を浄化することができる。  これにより、水槽内の物質循環のサイクルが完成し、理論上水槽水は換水の必要が無くなるため、換水の頻度を大幅に減らすことができ、換水の手間が省ける。  照明光源が光合成生物の極めて近距離にあり、また光を無駄なく利用できる反射板を有するため、照明光の利用効率が良い。  これは、支払う照明コストに対して最も効率よく光合成反応を得ることができる構成と言え、他のあらゆる構成に比して有利であり、照明に掛かる照明球代や電気代等の初期コスト・維持コストが最小限で済む。  本発明の構成が、濾過槽内の光合成対象まで３センチメートルの距離から光を照射することができ、一般的な家庭用観賞用水槽の照明器具（特許文献２、３含む）が、水槽内の光合成対象まで１５センチメートルの距離から光を照射すると仮定すると、光の減衰法則によれば、本発明が、一般的照明器具と同じ光合成反応を促すための光量を得るのに必要な照明コストは２５分の１と試算され、圧倒的な差が示される。  そして盛んな光合成反応は、光合成生物の育成、塩類の吸収量増大により、水槽水の浄化に繋がる。  反射板が着脱可能であるため、発生しやすい藻類の除去等のメンテナンスが容易である。  反射板に目隠しルーバー状の水槽水流入口と排出口を設ければ、水槽水の循環に必要な流入口と排出口の開口面積を確保しつつ、反射面の面積を確保でき、照明光源の光を効率的に利用できる。  照明光源が装置外郭の内側にあり、遮光性壁部に囲まれているため、照明光源の光が循環濾過装置の外部にもれず、水槽用照明と濾過槽用照明が完全に独立している。  これにより観賞用水槽の照明点灯時間に関係なく濾過槽用照明を点灯させて、光合成生物の光合成を促進でき、観賞用水槽で飼育する生物に、光による影響を与えない。  観賞用水槽内に、塩類除去を目的とした水草等の光合成生物を育成する必要がないため、水草の管理に必要な設備コストや管理コスト・手間が必要なく、水草とともに飼うのに適さない種の動物も制限なく飼うことができる。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】